Podtech/llm-jp-corpus-v4-ja_patent huggingface dataset:
【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
モノクローナル抗体またはその抗原結合断片であって、
ａ）配列番号３に記載されるアミノ酸配列のアミノ酸２６〜３３、配列番号３に記載されるアミノ酸配列のアミノ酸５１〜５８、及び配列番号３に記載されるアミノ酸配列のアミノ酸９７〜１１５を含む重鎖可変ドメイン、ならびに配列番号６に記載されるアミノ酸配列のアミノ酸２７〜３７、配列番号６に記載されるアミノ酸配列のアミノ酸５５〜５７、及び配列番号６に記載されるアミノ酸配列のアミノ酸９４〜１００を含む軽鎖可変ドメイン、
ｂ）配列番号４に記載されるアミノ酸配列のアミノ酸２６〜３３、配列番号４に記載されるアミノ酸配列のアミノ酸５１〜５８、及び配列番号４に記載されるアミノ酸配列のアミノ酸９７〜１１５を含む重鎖可変ドメイン、ならびに配列番号７のアミノ酸２７〜３７、配列番号７に記載されるアミノ酸配列のアミノ酸５５〜５７、及び配列番号７に記載されるアミノ酸配列のアミノ酸９４〜１００を含む軽鎖可変ドメイン、または
ｃ）配列番号５に記載されるアミノ酸配列のアミノ酸２７〜３７、配列番号５に記載されるアミノ酸配列のアミノ酸５５〜５７、及び配列番号５に記載されるアミノ酸配列のアミノ酸９４〜１００を含む重鎖可変ドメイン、ならびに配列番号８に記載されるアミノ酸配列のアミノ酸２７〜３７、配列番号８に記載されるアミノ酸配列のアミノ酸５５〜５７、及び配列番号８に記載されるアミノ酸配列のアミノ酸９４〜１００を含む軽鎖可変ドメイン、
を含み、ＥｐｈＡ４に特異的に結合する、前記モノクローナル抗体またはその抗原結合断片。
【請求項２】
ａ）配列番号３に記載されるアミノ酸配列を含む重鎖可変ドメイン、及び配列番号６に記載されるアミノ酸配列を含む軽鎖可変ドメイン、
ｂ）配列番号４に記載されるアミノ酸配列を含む重鎖可変ドメイン、及び配列番号７に記載されるアミノ酸配列を含む軽鎖可変ドメイン、または
ｃ）配列番号５に記載されるアミノ酸配列を含む重鎖可変ドメイン、及び配列番号８に記載されるアミノ酸配列を含む軽鎖可変ドメイン、
を含む、請求項１に記載のモノクローナル抗体または抗原結合断片。
【請求項３】
モノクローナル抗体がＩｇＧである、または、抗原結合断片がscFV、Fv、FabまたはF(ab)2抗原結合断片である、請求項１または２に記載のモノクローナル抗体。
【請求項４】
請求項１〜３のいずれか一項に記載のモノクローナル抗体または抗原結合断片を含む、二重特異性抗体。
【請求項５】
エフェクター分子に接合した、請求項１〜３のいずれか一項に記載のモノクローナル抗体もしくは抗原結合断片、または請求項４に記載の二重特異性抗体。
【請求項６】
エフェクター分子が、検出可能な標識、毒素または化学療法剤である、請求項５に記載のモノクローナル抗体、または抗原結合断片、または二重特異性抗体。
【請求項７】
検出可能な標識が、蛍光マーカー、放射性標識、アビジン、ビオチン、または酵素である、または、毒素が緑膿菌外毒素である、請求項６に記載のモノクローナル抗体、または抗原結合断片、または二重特異性抗体。
【請求項８】
請求項１〜３のいずれか一項に記載のモノクローナル抗体もしくは抗原結合断片、請求項４に記載の二重特異性抗体、または請求項５〜７のいずれか一項に記載の接合体、をコードするポリヌクレオチド。
【請求項９】
対象の腫瘍を治療するための組成物であって、治療的有効量の請求項１〜３のいずれか一項に記載のモノクローナル抗体もしくは抗原結合断片、請求項４に記載の二重特異性抗体、または請求項５に記載の接合体を含む、前記組成物。
【請求項１０】
腫瘍が、乳癌、食道癌、非小細胞肺癌、胃癌、又は膵癌である、請求項９に記載の組成物。
【請求項１１】
対象の神経変性または情動障害を治療するための組成物であって、治療的有効量の請求項１〜３のいずれか一項に記載のモノクローナル抗体もしくは抗原結合断片、請求項４に記載の二重特異性抗体、または請求項５に記載の接合体を含む、前記組成物。
【請求項１２】
神経変性が、アルツハイマー病、パーキンソン病、多発性硬化症、または筋萎縮性側索硬化症であり、または、情動障害が鬱病である、請求項１１に記載の組成物。
【請求項１３】
治療的有効量の請求項１〜３のいずれか一項に記載のモノクローナル抗体もしくは抗原結合断片、請求項４に記載の二重特異性抗体、または請求項５〜７のいずれか一項に記載の接合体か、前記抗体、抗原結合断片、または接合体をコードする核酸か、あるいは前記核酸を含むベクター、を含む、医薬組成物。
【請求項１４】
モノクローナル抗体が、ＩｇＧ１  ｍ１０５である、請求項１１に記載の組成物。
【請求項１５】
プロモーターに機能的に連結されている、請求項８記載のポリヌクレオチド。
【手続補正書】
【提出日】平成30年8月2日(2018.8.2)
【手続補正１】
【補正対象書類名】特許請求の範囲
【補正対象項目名】請求項１８
【補正方法】変更
【補正の内容】
【請求項１８】
請求項１７に記載の核酸分子であって、当該核酸分子の発現を可能にする調節配列に稼働可能に連結されている核酸分子。
【手続補正２】
【補正対象書類名】特許請求の範囲
【補正対象項目名】請求項１９
【補正方法】変更
【補正の内容】
【請求項１９】
請求項１８に記載の核酸分子であって、前記調節配列がプロモーター配列を含む核酸分
子。
【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
スチコダクチラ・ヘリアンサス毒素ＳｈＫのアナログであって、ＳｈＫ毒素ポリペプチドと、式（Ｉ）：
（Ｉ）ａ−Ｘ−４Ｘ−３Ｘ−２Ｘ−１−ｂ（配列番号３）
［式中、Ｘ−４はＤ、Ｅ若しくはその他の負に荷電したアミノ酸又はそれらの誘導体であり、
Ｘ−３はＥ、Ｉ、Ｌ、Ｓ、Ｖ、Ｗ又はトリプトファン誘導体であり、
Ｘ−２は任意のアミノ酸であり、
Ｘ−１は任意のアミノ酸であり、
ａは存在しないか、又は第１の付加部分であり、
ｂは存在しないか、又は第２の付加部分である］
によるアミノ酸配列を含むＮ末端伸長とを含む、前記アナログ。
【請求項２】
式（II）：
（II）ａ−Ｘ−４Ｘ−３Ｘ−２Ｘ−１−ｂ−［ＳｈＫ毒素ポリペプチド］
による、請求項１に記載のアナログ。
【請求項３】
ＳｈＫ毒素ポリペプチドが、ＲＳＣＩＤＴＩＰＫＳＲＣＴＡＦＱＣＫＨＳＭＫＹＲＬＳＦＣＲＫＴＣＧＴＣ（配列番号４）に対応するアミノ酸配列を含む、請求項２に記載のアナログ。
【請求項４】
ＳｈＫ毒素ポリペプチドが、Ｍｅｔ２１の置換を含むバリアントアミノ酸配列を含む、請求項２又は３に記載のアナログ。
【請求項５】
Ｘ−４がＥである、請求項１〜４のいずれかに記載のアナログ。
【請求項６】
Ｘ−３がＥ、Ｓ、Ｗ又はトリプトファン誘導体である、請求項１〜５のいずれかに記載のアナログ。
【請求項７】
Ｘ−３がＷである、請求項６に記載のアナログ。
【請求項８】
Ｘ−２がＳ又はＴである、請求項１〜７のいずれかに記載のアナログ。
【請求項９】
Ｘ−１がＳ又はＴである、請求項１〜８のいずれかに記載のアナログ。
【請求項１０】
ａが、アミノ酸、２〜３０個の長さのアミノ酸のアミノ酸配列、及びその他の化学基から選択される第１の付加部分である、請求項１〜９のいずれかに記載のアナログ。
【請求項１１】
ａが任意のアミノ酸である、請求項１０に記載のアナログ。
【請求項１２】
ａが、Ａ、Ｇ、Ｓ及びＴからなる群から選択されるアミノ酸である、請求項１１に記載のアナログ。
【請求項１３】
ａがバイオケミカルタグ又はキレート剤である、請求項１０に記載のアナログ。
【請求項１４】
ａが細胞透過性ペプチドを含む、請求項１１〜１３のいずれかに記載のアナログ。
【請求項１５】
ｂが、アミノ酸、２〜５個の長さのアミノ酸のアミノ酸配列、及びその他の化学基から選択される第２の付加部分である、請求項１〜１４のいずれかに記載のアナログ。
【請求項１６】
ａ及びｂがいずれも存在しない、請求項１〜９のいずれかに記載のアナログ。
【請求項１７】
Ｎ末端伸長が、ＥＳＳＳ（配列番号１）、ＥＷＳＳ（配列番号２）、ＥＥＳＳ（配列番号５）、ＥＷＳＴ（配列番号６）、ＥＷＴＴ（配列番号７）、ＥＷＴＳ（配列番号８）及びＳＥＷＳＳ（配列番号９）からなる群から選択される、請求項１〜１６のいずれかに記載のアナログ。
【請求項１８】
Ｎ末端伸長がＥＷＳＳ（配列番号２）である、請求項１７に記載のアナログ。
【請求項１９】
Ｃｙｓ３〜Ｃｙｓ３５、Ｃｙｓ１２〜Ｃｙｓ２８及びＣｙｓ１７〜Ｃｙｓ３２の間にジスルフィド架橋を有するポリペプチドである、請求項１〜１８のいずれかに記載のアナログ。
【請求項２０】
アミノ酸配列：ＥＷＳＳＲＳＣＩＤＴＩＰＫＳＲＣＴＡＦＱＣＫＨＳＭＫＹＲＬＳＦＣＲＫＴＣＧＴＣ（配列番号１０）からなるポリペプチドである、請求項１〜１９のいずれかに記載のアナログ。
【請求項２１】
さらに細胞透過性ペプチドを含む、請求項１〜２０のいずれかに記載のアナログ。
【請求項２２】
単離形態である、請求項１〜２１のいずれかに記載のアナログ。
【請求項２３】
アミド化したＣ末端を有するポリペプチドである、請求項１〜２２のいずれかに記載のアナログ。
【請求項２４】
請求項１〜２３のいずれかに記載のアナログを含む、対象におけるＴリンパ球又はクラススイッチされたＢ細胞の増殖の阻害剤であって、任意で薬学的に許容される担体と組み合わせて投与される、前記阻害剤。
【請求項２５】
請求項１〜２３のいずれかに記載のアナログを含む、対象における自己免疫疾患の治療剤であって、 任意で薬学的に許容される担体と組み合わせて投与される、前記治療剤。
【請求項２６】
治療される自己免疫疾患が、ＴＥＭ細胞によって媒介される自己免疫疾患である、請求項２５に記載の治療剤。
【請求項２７】
治療される自己免疫疾患が、関節リウマチ（ＲＡ）又は多発性硬化症（ＭＳ）である、請求項２５又は２６に記載の治療剤。
【請求項２８】
自己免疫疾患の治療のための医薬品の調製における、請求項１〜２３のいずれかに記載のアナログの使用。
【請求項２９】
治療される自己免疫疾患が、ＴＥＭ細胞によって媒介される自己免疫疾患である、請求項２８に記載の使用。
【請求項３０】
治療される自己免疫疾患が、関節リウマチ（ＲＡ）又は多発性硬化症（ＭＳ）である、請求項２８又は２９に記載の使用。
【請求項３１】
請求項１〜２３のいずれかに記載のアナログを含む、対象におけるがんの治療剤であって、任意で薬学的に許容される担体と組み合わせて投与される、前記治療剤。
【請求項３２】
がんが固形腫瘍、白血病又はリンパ腫である、請求項３１に記載の治療剤。
【請求項３３】
がんの治療のための医薬品の調製における、請求項１〜２３のいずれかに記載のアナログの使用。
【請求項３４】
がんが固形腫瘍、白血病又はリンパ腫である、請求項３３に記載の使用。
【請求項３５】
請求項１〜２１のいずれかに記載のアナログをコードするヌクレオチド配列を含むポリヌクレオチド分子。
【請求項３６】
請求項３５に記載のポリヌクレオチド分子を含むクローニング又は発現ベクター。
【請求項３７】
請求項３５に記載のポリヌクレオチド分子又は請求項３６に記載のクローニング若しくは発現ベクターを含む宿主細胞であって、培養中にアナログを発現することができる、前記宿主細胞。
【手続補正書】
【提出日】平成30年8月14日(2018.8.14)
【手続補正１】
【補正対象書類名】特許請求の範囲
【補正対象項目名】全文
【補正方法】変更
【補正の内容】
【特許請求の範囲】
【請求項１】
以下を備えるセルフロッキング光学ピンセットデバイス：
第１の電極及びオンとオフを光学的に切り替え可能である複数の環状及び／または非円形のフォトトランジスタを備える第１の基板であって、前記フォトトランジスタと第１の基板は、前記デバイスへの電圧を印加すると、前記環状または非円形のフォトトランジスタで負の誘電泳動（ＤＥＰ）力を発生させ、前記フォトトランジスタに光が照射されると、環状または非円形のフォトトランジスタのＤＥＰをオフにするように構成される、第１の基板と、
第２の電極を含む表面であって、前記表面は、前記第１の基板と前記表面との間でチャンバまたはチャネルを画定するように配置され、前記チャンバまたはチャネルは細胞または粒子を含有する流体を受容する及び/または保持するように構成される、表面。
【請求項２】
細胞または粒子の捕捉方法であって、
請求項１に記載のデバイスのチャンバ内に細胞または粒子を誘導し、
前記第１の電極と前記第２の電極との間に電圧を印加して、前記基板を含む環状トランジスタで前記細胞または粒子を捕捉することを含む、方法。
【手続補正書】
【提出日】平成30年6月19日(2018.6.19)
【手続補正１】
【補正対象書類名】特許請求の範囲
【補正対象項目名】全文
【補正方法】変更
【補正の内容】
【特許請求の範囲】
【請求項１】
環境発電システムにおいて用いるための回路であって、
入力キャパシタを介して加算ノードに結合された第１の端子と、第１のダイオードを介して前記加算ノードに結合された第２の端子と、を有する第１のアンテナと、
前記第１のアンテナの前記第２の端子に結合された第１の端子と、第２のダイオードを介して前記入力キャパシタと前記加算ノードとの間の相互接続部に結合された第２の端子と、を有する第２のアンテナと、
を備え、前記加算ノードが出力ダイオードを介して出力ノードに結合され、前記出力ノードに出力キャパシタが設けられており、
前記第２のアンテナの前記第２の端子が、前記第１のアンテナの前記第１の端子において供給される信号と逆相の信号を供給するよう適合される、回路。
【請求項２】
前記第１のアンテナ及び前記第２のアンテナにおけるアンテナ信号が同相を持つ場合は、前記第２のアンテナの前記第１の端子及び前記第２の端子が逆にされるよう適合される、請求項１に記載の回路。
【請求項３】
前記第１のダイオード、前記第２のダイオード、及び前記出力ダイオード、並びに前記入力キャパシタ及び前記出力キャパシタが、電圧増倍回路を形成し、前記回路が、前記出力ノード及び前記第１のアンテナの前記第１の端子又は前記第２のアンテナの前記第２の端子に結合され、前記出力ノードにおける電圧の増倍のために適合された、別の電圧増倍回路を更に備える、請求項２に記載の回路。
【請求項４】
前記第１のアンテナの前記第１の端子が第３のダイオードを介して第２の加算ノードに結合され、
前記第２のアンテナの前記第１の端子が第４のダイオードを介して前記第２の加算ノードに結合され、
前記第２の加算ノードが第２の出力ダイオードを介して前記出力ノード又は第２の出力ノードに結合され、
前記回路が、前記第２の加算ノードと前記第２のアンテナの前記第２の端子との間に結合された第２の入力キャパシタを備える、請求項１から２のいずれか１項に記載の回路。
【請求項５】
前記第２の加算ノードが、前記第２の出力ダイオードを介して前記第２の出力ノードに結合され、前記第２の出力ノードに第２の回路の出力キャパシタが設けられている、請求項４に記載の回路。
【請求項６】
前記第３のダイオード、前記第４のダイオード、及び前記第２の出力ダイオード、並びに前記第２の入力キャパシタが、補助電圧増倍回路を形成する、請求項５に記載の回路。
【請求項７】
前記第２の出力ノードにおける電圧の増倍のために適合された電圧増倍回路を更に備える、請求項６に記載の回路。
【請求項８】
前記出力ノード及び前記第２の出力ノードが相互に逆の極性の電圧を出力するためのものであり、前記第１のアンテナの前記第１の端子が逆方向の前記第３のダイオードを介して前記第２の加算ノードに結合され、前記第２のアンテナの前記第１の端子が逆方向の前記第４のダイオードを介して前記第２の加算ノードに結合されるか、又は、
前記第１の出力ノード及び前記第２の出力ノードが相互に同一の極性の電圧を出力するためのものであり、前記第１のアンテナの前記第１の端子が順方向の前記第３のダイオードを介して前記第２の加算ノードに結合され、前記第２のアンテナの前記第１の端子が順方向の前記第４のダイオードを介して前記第２の加算ノードに結合されている、請求項５に記載の回路。
【請求項９】
少なくとも１つの別のアンテナを更に備え、
前記別のアンテナ又は前記別のアンテナの各々が、前段のアンテナの前記第２の端子に結合された第１の端子と、各ダイオードを介して前記加算ノードに結合された第２の端子と、を有する、請求項１又は２に記載の回路。
【請求項１０】
請求項１から９のいずれか１項に記載の回路を備える、誘導性、容量性、又は電磁性のセンサノードの電力伝達によって電力を供給される、電子デバイス。
【請求項１１】
複数のアンテナ信号を合成する環境発電の方法であって、
第１のアンテナの第１の端子を、入力キャパシタを介して加算ノードに結合することと、
前記複数のアンテナの各々について、
後段の各アンテナの第１のアンテナ端子を、前段の各アンテナの第２の端子と結合することと、
各アンテナの前記第２のアンテナ端子からの信号を、各ダイオードを介して電圧増倍回路の前記加算ノードと前記入力キャパシタとの間の相互接続部に提供することと、
を備え、前記第２のアンテナの前記第２の端子が、前記第１のアンテナの前記第１の端子において供給される信号と逆相の信号を供給するよう適合される、方法。
【請求項１２】
前記電圧増倍回路の出力において電圧の別の電圧増倍を実行すること、及び／又は
前記第１のアンテナの前記第１の端子及び前記第２のアンテナの前記第２の端子におけるアンテナ信号が同相を持つ場合は、前記第２のアンテナの前記第１の端子及び前記第２の端子を逆にすることを更に備える、請求項１１に記載の方法。
【請求項１３】
各アンテナ信号の第１のアンテナ端子からの信号を、各ダイオードを介して第２の電圧増倍回路の加算ノードに提供することを更に備える、請求項１１又は１２に記載の方法。
【請求項１４】
前記第２の電圧増倍回路の出力において電圧の別の電圧増倍を実行することを更に備える、請求項１３に記載の方法。
【請求項１５】
第１の極性の電力供給のため、請求項１１から１４のいずれか１項に記載の方法を実行することと、
第２の逆の極性の電力供給のため、請求項１１から１４のいずれか１項に記載の方法を実行することと、
を備える、環境発電の方法。
【手続補正書】
【提出日】平成30年8月17日(2018.8.17)
【手続補正１】
【補正対象書類名】特許請求の範囲
【補正対象項目名】全文
【補正方法】変更
【補正の内容】
【特許請求の範囲】
【請求項１】
防水性基部、前記基部に取り付けられた防水性カバーシート、及び前記基部と前記カバーシートの間に配置された増殖コンパートメントを含む本体部であって、前記増殖コンパートメントが、周辺部と、前記増殖コンパートメントへの液体のアクセスを提供する開口部と、を有し、前記周辺部の一部分が防水シールによって画定され、前記部分が前記周辺部の＞５０％を含む、本体部と、
前記増殖コンパートメント内で前記基部に付着された、乾燥した冷水可溶性ゲル化剤と、
硫酸塩還元菌による硫化水素の産生を検出するための指示試薬であって、前記増殖コンパートメント内に配置された指示試薬と、
前記増殖コンパートメント内に配置された、乾燥した第１の酸素消去試薬と、を備える、デバイス。
【請求項２】
生存可能微生物の存在を検出するための指示試薬を更に備え、
前記指示試薬が前記増殖コンパートメント内に配置され、
前記指示試薬が、前記第１の酸素消去試薬又は第２の酸素消去試薬である、請求項１に記載のデバイス。
【請求項３】
デバイスの増殖コンパートメント内に試料を堆積させることと、
硫酸塩還元微生物の増殖を促進する温度で前記デバイスをインキュベートすることと、
前記増殖コンパートメント内の前記硫酸塩還元微生物のコロニーの兆候を検出することと、を含む方法であって、
前記デバイスは、
防水性基部と前記基部に取り付けられた防水性カバーシートの間に配置された増殖コンパートメントを含む本体部であって、前記増殖コンパートメントが、周辺部と、前記増殖コンパートメントへの液体のアクセスを提供する開口部と、を有し、前記周辺部の一部分が防水シールによって画定されており、前記部分が前記周辺部の＞５０％を含む、本体部と、
前記増殖コンパートメント内で前記基部に付着された、乾燥した冷水可溶性ゲル化剤と、
前記増殖コンパートメント内に配置された、乾燥した第１の酸素消去試薬と
を備える、方法。
【手続補正書】
【提出日】平成30年8月17日(2018.8.17)
【手続補正１】
【補正対象書類名】特許請求の範囲
【補正対象項目名】全文
【補正方法】変更
【補正の内容】
【特許請求の範囲】
【請求項１】
基材を含み、前記基材が第１の主表面を有する基部と、
前記第１の主表面の少なくとも一部分に接着させた感圧接着剤と、
前記接着剤を介して前記基材に結合された、ポリマー及び粘着付与剤を含む複合フィルムであるポリマーカバーフィルムであって、前記複合フィルムが、エチレン酢酸ビニル共重合体、エチレンと高級アルケンの線状共重合体、及び前記粘着付与剤を含む、前記ポリマーカバーフィルムと、
前記基材と前記カバーフィルムとの間に配置され、複数の閉鎖区画の各区画が、前記複数の閉鎖区画のうちの少なくとも１つの他の区画との液体連通を防止する封止部によって画定されている、複数の閉鎖区画と、
前記閉鎖区画のうちの２つ以上の中に配置された水性液と
を含み、前記封止部が、前記カバーフィルムと前記感圧接着剤との間の接触によって形成されている、デバイス。
【請求項２】
前記カバーフィルムの弾性回復率が２０％以下である、請求項１に記載のデバイス。
【請求項３】
液体試料を分析する方法であって、
予め定められた体積の液体を基材の第１の表面上に載せて、その液体試料が、
非水溶性の感圧接着剤で被覆された前記第１の表面と、
ポリマー及び粘着付与剤を含む複合フィルムであるポリマーカバーフィルムであって、前記複合フィルムが、エチレン酢酸ビニル共重合体、エチレンと高級アルケンの線状共重合体、及び前記粘着付与剤を含む前記ポリマーカバーフィルムと
の間に配置されるようにする工程と、
前記カバーフィルムに外部手段を付勢させて、カバーフィルムの個別領域を前記基材の前記感圧接着剤に接触させ、その結果、前記液体を前記基材と前記カバーフィルムとの間に配置された複数の閉鎖区画内へ分割する工程と、
前記複数の閉鎖区画のうちの少なくとも１つの閉鎖区画の定量的分析又は定性的分析を行う工程
を含む、前記方法。
【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
単離細胞であって、
（ａ）配列番号：３のアミノ酸配列に少なくとも９３％の同一性を有するタンパク質をコードする哺乳類ツニカマイシン（Ｔｎ）耐性遺伝子であって、前記細胞に外因的に添加された、前記Ｔｎ耐性遺伝子、
（ｂ）第１の目的遺伝子（ＧＯＩ）であって、外因的に添加されたＧＯＩである、前記第１のＧＯＩ、および
（ｃ）少なくとも１つの調節要素
を含み、前記Ｔｎ耐性遺伝子が、前記第１のＧＯＩおよび前記少なくとも１つの調節要素に操作可能にリンクしている、単離細胞。
【請求項２】
前記Ｔｎ耐性遺伝子が、配列番号：２、配列番号：１１、配列番号：１２、配列番号：１３、配列番号：１４、配列番号：１５、配列番号：１６、および配列番号：１７から成る群から選択される核酸配列を含む、請求項１に記載の単離細胞。
【請求項３】
前記少なくとも１つの調節要素が、プロモーター、リボソーム結合部位、およびエンハンサーから成る群から選択される、請求項１または２に記載の単離細胞。
【請求項４】
前記第１のＧＯＩが、プロモーターに操作可能にリンクしている、請求項１〜３のいずれか一項に記載の単離細胞。
【請求項５】
前記第１のＧＯＩが、糖タンパク質をコードする、請求項１〜４のいずれか一項に記載の単離細胞。
【請求項６】
前記糖タンパク質が、抗体軽鎖またはその抗原結合断片、抗体重鎖またはその抗原結合断片、Ｆｃ融合タンパク質またはその断片、リガンド、および受容体またはそのリガンド結合断片から選択される、請求項５に記載の単離細胞。
【請求項７】
外因的に添加された第２の目的遺伝子（ＧＯＩ）をさらに含む、請求項１〜６のいずれか一項に記載の単離細胞。
【請求項８】
前記第２のＧＯＩが、糖タンパク質をコードする、請求項７に記載の単離細胞。
【請求項９】
前記糖タンパク質が、抗体軽鎖またはその抗原結合断片、抗体重鎖またはその抗原結合断片、Ｆｃ融合タンパク質またはその断片、リガンド、および受容体またはそのリガンド結合断片から選択される、請求項８に記載の単離細胞。
【請求項１０】
前記細胞が哺乳類細胞である、請求項１〜９のいずれか一項に記載の単離細胞。
【請求項１１】
前記細胞が、ＣＨＯ−Ｋ１、ＣＯＳ−７、ＨＥＫ２９３、腫瘍細胞、リンパ球、網膜細胞、および幹細胞から成る群から選択される、請求項１０に記載の単離細胞。
【請求項１２】
前記細胞が、ＣＨＯ−Ｋ１細胞である、請求項１１に記載の単離細胞。
【請求項１３】
核酸を含むベクターであって、前記核酸が、配列番号：３のアミノ酸配列に少なくとも９３％の同一性を有するタンパク質をコードする哺乳類ツニカマイシン（Ｔｎ）耐性遺伝子、前記Ｔｎ耐性遺伝子に操作可能にリンクしている第１の目的遺伝子（ＧＯＩ）、および少なくとも１つの調節要素を含む、ベクター。
【請求項１４】
前記Ｔｎ耐性遺伝子が、配列番号：２、配列番号：１１、配列番号：１２、配列番号：１３、配列番号：１４、配列番号：１５、配列番号：１６および配列番号：１７から成る群から選択される核酸配列を含む、請求項１３に記載のベクター。
【請求項１５】
前記少なくとも１つの調節要素が、プロモーター、リボソーム結合部位、およびエンハンサーから成る群から選択される、請求項１３または１４に記載のベクター。
【請求項１６】
前記第１のＧＯＩが、プロモーターに操作可能にリンクしている、請求項１３〜１５のいずれか一項に記載のベクター。
【請求項１７】
前記第１のＧＯＩが、糖タンパク質をコードする、請求項１３〜１６のいずれか一項に記載のベクター。
【請求項１８】
前記糖タンパク質が、抗体軽鎖またはその抗原結合断片、抗体重鎖またはその抗原結合断片、Ｆｃ融合タンパク質またはその断片、リガンド、および受容体またはそのリガンド結合断片から選択される、請求項１７に記載のベクター。
【請求項１９】
外因的に添加された第２の目的遺伝子（ＧＯＩ）をさらに含む、請求項１３〜１８のいずれか一項に記載のベクター。
【請求項２０】
前記第２のＧＯＩが、糖タンパク質をコードする、請求項１９に記載のベクター。
【請求項２１】
前記糖タンパク質が、抗体軽鎖またはその抗原結合断片、抗体重鎖またはその抗原結合断片、Ｆｃ融合タンパク質またはその断片、リガンド、および受容体またはそのリガンド結合断片から選択される、請求項２０に記載のベクター。
【請求項２２】
方法であって、
（ａ）請求項１３〜２１のいずれか一項に記載の核酸を含むベクターを、トランスフェクションによって哺乳類宿主細胞集団に導入することと、
（ｂ）工程（ａ）の細胞集団をＴｎの存在下で培養し、それにより、前記ベクターの前記核酸を含む細胞トランスフェクタントを得ることと
を含む、方法。
【請求項２３】
組み換え型の目的タンパク質（ＰＯＩ）を生成する方法であって、
前記方法は、
（ａ）請求項１〜９のいずれか一項に記載の細胞を提供することであって、前記細胞が、哺乳類宿主細胞である、ことと、
（ｂ）前記細胞をＴｎの存在下で培養して、前記ＧＯＩからＰＯＩを発現させることと、
を含む、方法。
【請求項２４】
前記Ｔｎが、少なくとも１μｇ／ｍＬの濃度であり、好ましくは前記Ｔｎは、１μｇ／ｍＬ、２．５μｇ／ｍｌまたは５μｇ／ｍｌの濃度である、請求項２２または２３に記載の方法。
【請求項２５】
前記細胞トランスフェクタントが、工程（ｂ）の細胞集団を順次増加する濃度のＴｎの存在下で培養することによって得られる、請求項２２に記載の方法。
【請求項２６】
前記培養することが、順次増加する濃度のＴｎの存在下で培養することを含む、請求項２３に記載の方法。
【請求項２７】
前記培養することが、１μｇ／ｍＬの第１のＴｎ濃度で培養すること、続いて２．５μｇ／ｍＬまたは５μｇ／ｍＬの第２のＴｎ濃度で培養することを含む、請求項２５または２６に記載の方法。
【請求項２８】
前記ＧＯＩから発現されたＰＯＩを単離することをさらに含む、請求項２２〜２７のいずれか一項に記載の方法。
【請求項２９】
前記細胞が、ＣＨＯ−Ｋ１、ＣＯＳ−７、ＨＥＫ２９３、腫瘍細胞、リンパ球、網膜細胞、および幹細胞から成る群から選択される、請求項２２〜２８のいずれか一項に記載の方法。
【請求項３０】
前記細胞が、ＣＨＯ−Ｋ１細胞である、請求項２９に記載の方法。
【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
被験体の筋持久力、筋力回復、または睡眠の質を増加させるための衣服の調製におけるバイオセラミック組成物の使用であって、該使用は、
被験体にバイオセラミック組成物を含む衣服を接触させることを含み、バイオセラミック組成物が、加熱されるかまたは熱に晒されると、非侵襲的な手法で被験体の筋持久力、筋力回復、または睡眠の質を増加させる遠赤外線熱放射と生体修飾的または生理学的な効果を被験体にもたらし、
ａ．約４０ｗｔ％乃至約６０ｗｔ％のカオリナイト（Ａｌ２Ｓｉ２Ｏ５（ＯＨ）４）；
ｂ．約５ｗｔ％乃至約１５ｗｔ％のトルマリン（ＮａＦｅ２＋３Ａｌ６Ｓｉ６Ｏ１８（ＢＯ３）３（ＯＨ）３ＯＨ）；
ｃ．約１５ｗｔ％乃至約２５ｗｔ％の酸化アルミニウム（Ａｌ２Ｏ３）；および
ｄ．約１０ｗｔ％乃至約２０ｗｔ％の二酸化ケイ素（ＳｉＯ２）； 
を含むことを特徴とする、使用。
【請求項２】
２５°Ｃの室温でのバイオセラミック組成物の反射率は、約７マイクロメートル乃至約１２マイクロメートルの間の赤外線領域において少なくとも８０％である、請求項１に記載の使用。
【請求項３】
バイオセラミック組成物を含む衣服は、熱に晒されると、少なくとも１．５ジュール／ｃｍ２の遠赤外線エネルギーを被験体に与える、請求項１または２に記載の使用。
【請求項４】
バイオセラミック組成物を含む衣服は、熱に晒されると、せいぜい４５ジュール／ｃｍ２の遠赤外線を被験体に与える、請求項１乃至３のいずれか１項に記載の使用。
【請求項５】
バイオセラミック組成物は、被験体の筋持久力、筋力回復、または睡眠の質の少なくとも５％である統計的に有意な変化を有する、請求項１乃至４のいずれか１項に記載の使用。
【請求項６】
バイオセラミック組成物は、衣服の表面積の５％以上に塗布される、請求項１乃至５のいずれか１項に記載の使用。
【請求項７】
バイオセラミック組成物は、衣服の使用の１週間未満で被験体に生体修飾的な又は生理学的な効果をもたらす、請求項１乃至６のいずれか１項に記載の使用。
【請求項８】
バイオセラミック組成物は、製品の内面または外面に対する被膜として適用される、請求項１乃至７のいずれか１項に記載の使用。
【請求項９】
衣服は、シャツ、ジャケット、ショーツまたはズボン、リストバンド、パッド、ニーブレース、エルボーブレース、ボディーサポーター、リストラップ、スリーブ、またはパッチからなる群から選択される、請求項１乃至８のいずれか１項に記載の使用。
【請求項１０】
衣服は、シート、枕、枕カバー、掛け布団、羽毛布団カバー、マットレスカバー、マットレスパッドなどからなる群から選択される、請求項１乃至９のいずれか１項に記載の使用。
【請求項１１】
衣服はさらに、ウール、絹、綿、帆布、ジュート、ガラス、ナイロン、ポリエステル、アクリル樹脂、エラステーン、ポリクロロプレン、膨張したポリテトラフルオロエチレンを含有する積層布、およびこれらの組み合わせからなる群から選択される材料を含む、請求項１乃至１０のいずれか１項に記載の使用。
【請求項１２】
衣服はさらに、ナイロン、ポリ塩化ビニルエラストマー、ポリスチレンエラストマー、ポリエチレンエラストマー、ポリプロピレンエラストマー、ポリビニルブチラールエラストマー、シリコーン、熱可塑性エラストマー、ポリゲル、およびこれらの組み合わせからなる群から選択される材料を含む、請求項１乃至１１のいずれか１項に記載の使用。
【請求項１３】
被験体に補助療法レジメンを提供することをさらに含み、補助療法が、理学療法、水治療法、または身体のリハビリテーションである、請求項１乃至１２のいずれか１項に記載の使用。
【請求項１４】
トルマリンまたはカオリナイトの純度は、９５％よりも高い純度である、請求項１乃至１３のいずれか１項に記載の使用。
【請求項１５】
バイオセラミック組成物はさらに、二酸化チタン（ＴｉＯ２）または酸化マグネシウム（ＭｇＯ）から選択される１つの他の酸化物を含む、請求項１乃至１４のいずれか１項に記載の使用。
【手続補正書】
【提出日】平成30年4月3日(2018.4.3)
【手続補正１】
【補正対象書類名】特許請求の範囲
【補正対象項目名】全文
【補正方法】変更
【補正の内容】
【特許請求の範囲】
【請求項１】
サンプル及び／又はサンプル表面に形成された少なくとも１つのフィルムの特性及び／又はパラメータを測定するためのアレンジメントであって、
行配置又は行列配置される、波長間隔内における電磁放射線の空間分解スペクトル分析用の複数の検出器を備え、
前記検出器は、電子評価ユニットに接続されると共に、広帯域放射線源によって照射される前記電磁放射線が前記サンプル表面、前記サンプルに形成されたフィルム、若しくは前記サンプル内のフィルム表面で反射した後、及び／又は、前記電磁放射線を透過するサンプルを通過した後、に前記検出器に入射するように配置され、
均一な強度の電磁放射線が電磁放射線を反射する表面において観察でき、又は均一な強度の電磁放射線が前記表面によって伝達されるように放射を行い、
前記電子評価ユニットは、
波長間隔における空間・波長分解能により検出された算出信号を、シミュレーションにより得られる対応放射線強度の理論波長依存曲線と比較、又は、少なくとも１つの既知サンプルでの校正により得られる曲線と比較し、前記算出位置において、前記サンプル又は前記サンプルに形成された少なくとも１つのフィルムの少なくとも１つの特性若しくは少なくとも１つのパラメータを測定する情報を取得し、よって、前記サンプル又は前記サンプルに形成された少なくとも１つのフィルムにおける少なくとも１つの特性又は少なくとも１つのパラメータである空間分解能分布を取得するように構成されたこと、
を特徴とするアレンジメント。
【請求項２】
前記表面に対する放射は、少なくとも１つの角度が前記サンプル表面の法線に対し０°＜９０°未満であることを特徴とする請求項１に記載のアレンジメント。
【請求項３】
前記電磁放射線の入射角が変更又は調整可能であって、６０°から８０°の範囲であることが好ましく、前記検出及び評価を複数の異なる入射角に対して実行可能であることを特徴とする請求項１又は２に記載のアレンジメント。
【請求項４】
前記検出及び評価を、入射位置に関して既知の偏光面を有する偏光子を用いて実行することを特徴とする請求項１から３のいずれか１項に記載のアレンジメント。
【請求項５】
前記フィルム厚さの横分布、光屈折係数又はその波長依存曲線、
吸光係数又はその波長依存曲線、
前記サンプル又は前記サンプルに形成された少なくとも１つの層の表面粗さ若しくは界面品質（粗さ）、
前記サンプルあるいは少なくとも１つのフィルム内において、
電荷キャリア密度並びに／又は、
欠陥並びに／又は粒子の数及び／若しくはサイズ及び／若しくは形状、を測定可能であることを特徴とする請求項１から４のいずれか１項に記載のアレンジメント。
【請求項６】
前記検出器及びサンプルは、少なくとも１つの軸に沿って互いに移動可能であり、好適には、互いに一定の距離を保ちながら移動することを特徴とする請求項１から５のいずれか１項に記載のアレンジメント。
【請求項７】
前記放射線源は電磁放射線を生成する光学要素、又は前記表面に対して電磁放射線を拡散的に照射する放射線源を有し、中空体の内部に配置されると共に、
好適には、散乱した電磁放射線の入射を防ぐダイヤフラムを、前記電磁放射線の光路に設けた前記検出器の前に配置したことを特徴とする請求項１から６のいずれか１項に記載のアレンジメント。
【請求項８】
前記サンプルは、異なる素材から形成された複数のフィルムを有する多層構造体であることを特徴とする請求項１から７のいずれか１項に記載のアレンジメント。
【手続補正書】
【提出日】平成30年8月24日(2018.8.24)
【手続補正１】
【補正対象書類名】特許請求の範囲
【補正対象項目名】全文
【補正方法】変更
【補正の内容】
【特許請求の範囲】
【請求項１】
被検体から得られた血液サンプルを直接マススペクトル分析し、前記サンプル中に存在するグリコシル化ヘモグロビン（Ｈｂ）の割合を決定することを含み、前記グルコシル化ヘモグロビンの割合を決定することが、二つ荷電されたヘモグロビンまたはグロビン分子のレベルを測定することを含む、前糖尿病または糖尿病を検出するための血液サンプルの分析方法。
【請求項２】
前記存在するグリコシル化ヘモグロビンの割合の決定は、（ｉ）グリコシル化αグロビンおよび非グリコシル化αグロビンのレベル、および／または（ｉｉ）グリコシル化βグロビンおよび非グリコシル化βグロビンのレベルを測定することを含む、請求項１に記載の方法。
【請求項３】
前記直接マススペクトル分析の前に、前記血液サンプルを溶解する、請求項１または２に記載の方法。
【請求項４】
前記直接マススペクトル分析の前に、前記血液サンプルを希釈する、請求項１〜３のいずれか１項に記載の方法。
【請求項５】
前記直接マススペクトル分析に供されたサンプルは、溶解および／または希釈以外の処理はされていない、請求項１〜３のいずれか１項に記載の方法。
【請求項６】
前記直接マススペクトル分析から得られたスペクトルが正規化されている、請求項１〜５のいずれか１項に記載の方法。
【請求項７】
グルコシル化ヘモグロビンの割合が、グリコシル化されたヘモグロビンの百分率として計算される、請求項１〜６のいずれか１項に記載の方法。
【請求項８】
前記直接マススペクトル分析から得られたスペクトルが、６，０００〜８，１００ｍ／ｚの範囲で測定される、請求項１〜７のいずれか１項に記載の方法。
【請求項９】
前記グルコシル化Ｈｂおよび非グルコシル化Ｈｂの総量が、直接マススペクトル分析から得られたマススペクトルの曲線下の総面積を用いて測定される、請求項１〜８のいずれか１項に記載の方法。
【請求項１０】
前記グルコシル化Ｈｂおよび非グルコシル化Ｈｂの総量が、直接マススペクトル分析から得られたマススペクトルの相対ピーク高さを用いて測定される、請求項１〜９のいずれか１項に記載の方法。
【請求項１１】
３〜４％の前記グルコシル化α−グロビン百分率および／または３〜６％の前記グルコシル化β−グロビン百分率が、前糖尿病の指標である、請求項１〜１０のいずれか１項に記載の方法。
【請求項１２】
４％以上の前記グルコシル化αグロビン百分率および／または６％以上の前記グルコシル化βグロビン百分率が、糖尿病の指標である、請求項１〜１１のいずれか１項に記載の方法。
【請求項１３】
前記実施されたマススペクトル分析が、マトリックス支援レーザー脱離／イオン化分光法（ＭＡＬＤＩ）である、請求項１〜１２のいずれか１項に記載の方法。
【請求項１４】
前記ＭＡＬＤＩ分光法が、飛行時間質量分析法（ＭＡＬＤ−ＴｏＦ  ＭＳ）である、請求項１３に記載の方法。
【手続補正書】
【提出日】平成30年8月21日(2018.8.21)
【手続補正１】
【補正対象書類名】特許請求の範囲
【補正対象項目名】全文
【補正方法】変更
【補正の内容】
【特許請求の範囲】
【請求項１】
患者から得られた血液サンプルを直接質量スペクトル解析にかけることを含み、この際、結果として得られるスペクトルを二重荷電イオンとして分析する、異常ヘモグロビン症を検出する方法。
【請求項２】
前記血液サンプルを直接質量スペクトル解析の前に溶解剤と混合する、請求項１に記載の方法。
【請求項３】
前記溶解剤がホルマリンを含む、請求項２に記載の方法
【請求項４】
前記サンプルを直接質量スペクトル解析の前に希釈する、請求項１〜３のいずれか１項に記載の方法。
【請求項５】
前記異常ヘモグロビン症が、鎌状赤血球性貧血、α−サラセミア、β−サラセミア、ＨｂＡＧ、ＨｂＡ／エンフィールド、ＨｂＨ、ＨｂＡＦ、ＨｂＳ、ＨｂＣ、ＨｂＥ、ＨｂＤ−パンジャブ、ＨｂＯ−アラブ、ＨｂＧ−フィラデルフィア、Ｈｂ  コンスタントスプリング、Ｈｂ  ハシャロン、Ｈｂ  コルレ−ブ、Ｈｂ  レポール、ＨｂＭ、およびＨｂ  カンザスから選択される、請求項１〜４のいずれか１項に記載の方法。
【請求項６】
前記直接質量スペクトル解析から得られたスペクトルを正規化する、請求項１〜５のいずれか１項に記載の方法。
【請求項７】
前記直接質量スペクトル解析から得られたスペクトルを５，０００〜８，２００ｍ／ｚの範囲で分析する、請求項１〜６のいずれか１項に記載の方法。
【請求項８】
前記サンプルの前記直接質量スペクトル解析から得られたパターンと健常な対照からの血液サンプルの直接質量スペクトル解析から得られた質量スペクトルパターンとを比較して、前記サンプルからの前記パターンが異常ヘモグロビン症を示すかどうかを決定することを含む、請求項１〜７のいずれか１項に記載の方法。
【請求項９】
前記サンプルの前記直接質量スペクトル解析から得られたスペクトルを健常な対照からの採血サンプルの統計分析から決定された約５，０００〜８，２００ｍ／ｚの間の期待質量の参照スペクトルモデルと比較する、請求項１〜８のいずれか１項に記載の方法。
【請求項１０】
前記サンプルの前記直接質量スペクトル解析から得られたスペクトルを異常ヘモグロビン症の患者からの採血サンプルの統計分析から決定された約５，０００〜８，２００ｍ／ｚの間の期待質量の疾患モデルと比較する、請求項１〜９のいずれか１項に記載の方法。
【請求項１１】
実施された前記質量スペクトル解析がマトリックス支援レーザー脱離／イオン化分析法（ＭＡＬＤＩ）である、請求項１〜１０のいずれか１項に記載の方法。
【請求項１２】
前記ＭＡＬＤＩ分析法が飛行時間型質量分析法（ＭＡＬＤＩ−ＴｏＦ  ＭＳ）である、請求項１１に記載の方法。
【手続補正書】
【提出日】平成30年8月24日(2018.8.24)
【手続補正１】
【補正対象書類名】特許請求の範囲
【補正対象項目名】全文
【補正方法】変更
【補正の内容】
【特許請求の範囲】
【請求項１】
個体における皮膚におけるＵＶに媒介されるＤＮＡ損傷を処置、阻害、または防止するための化学保護方法において使用するための、プテロスチルベンを含む組成物であって、前記方法は、このような処置を必要とする前記個体に、有効量のプテロスチルベン化合物を投与するステップを含む、組成物。
【請求項２】
前記個体が、ヒトである、請求項１に記載の組成物。
【請求項３】
前記組成物が、薬学的に、または栄養補助物質として許容される担体をさらに含む、請求項１または２に記載の組成物。
【請求項４】
総用量に対するプテロスチルベンの前記有効量が、前記組成物の総重量に基づき約０．１重量％〜約１０重量％の範囲内である、請求項１から３のいずれかに記載の組成物。
【請求項５】
総１日用量に対するプテロスチルベンの前記有効量が、約１ｍｇ〜約１０００ｍｇの範囲内である、請求項１から４のいずれかに記載の組成物。
【請求項６】
前記化合物の投与経路が、経口、局所、皮内、経皮、および皮下からなる群から選択されることを特徴とする、請求項１から５のいずれかに記載の組成物。
【請求項７】
前記皮膚における損傷が、乾癬、ケロイド形成、光線性角化症（ＡＫ）、基底細胞癌、および扁平細胞癌からなる群から選択される細胞増殖性障害を含む、請求項１から６のいずれかに記載の組成物。
【請求項８】
個体における皮膚におけるＵＶに媒介されるＤＮＡ損傷により引き起こされる、皮膚におけるバリア機能の喪失を処置、阻害、または防止するための局所方法において使用するための、プテロスチルベンを含む組成物であって、前記方法は、このような処置を必要とする前記個体の皮膚表面に、有効量のプテロスチルベン化合物を投与するステップを含む、組成物。
【請求項９】
前記個体が、ヒトである、請求項８に記載の組成物。
【請求項１０】
前記組成物が、薬学的に許容される担体をさらに含む、請求項８または９に記載の組成物。
【請求項１１】
総用量に対するプテロスチルベンの前記有効量が、前記組成物の総重量に基づき約０．１重量％〜約１０重量％の範囲内である、請求項８から１０のいずれかに記載の組成物。
【請求項１２】
総１日用量に対するプテロスチルベンの前記有効量が、約１ｍｇ〜約１０００ｍｇの範囲内である、請求項８から１１のいずれかに記載の組成物。
【請求項１３】
前記皮膚における損傷が、乾癬、ケロイド形成、光線性角化症（ＡＫ）、基底細胞癌、および扁平細胞癌からなる群から選択される細胞増殖性障害を含む、請求項８から１２のいずれかに記載の組成物。
【請求項１４】
経表皮水分喪失量（ＴＥＷＬ）により示される皮膚におけるバリア機能の喪失を含む前記皮膚における損傷を軽減する、請求項１から１３のいずれかに記載の組成物。
【手続補正２】
【補正対象書類名】明細書
【補正対象項目名】００７５
【補正方法】変更
【補正の内容】
【００７５】
本明細書で引用される全ての参考文献は、参照によりそれらの全体が組み込まれる。本発明は、その趣旨または必須の特性から逸脱することなく、他の具体的な形態で実施することが可能であり、したがって、前出の明細書ではなく添付の特許請求の範囲が本発明の範囲を示すことが言及される。
例えば、本発明の実施形態において、以下の項目が提供される。
（項目１）
個体における皮膚におけるＵＶに媒介されるＤＮＡ損傷を処置、阻害、または防止するための化学保護方法であって、このような処置を必要とする前記個体に、有効量のプテロスチルベン化合物を投与するステップを含む、化学保護方法。
（項目２）
前記個体が、ヒトである、項目１に記載の化学保護方法。
（項目３）
前記プテロスチルベン化合物が、薬学的に、または栄養補助物質として許容される担体を含む組成物で提供される、前記項目のいずれかに記載の化学保護方法。
（項目４）
総用量に対するプテロスチルベンの前記有効量が、前記組成物の総重量に基づき約０．１重量％〜約１０重量％の範囲内である、前記項目のいずれかに記載の化学保護方法。
（項目５）
総１日用量に対するプテロスチルベンの前記有効量が、約１ｍｇ〜約１０００ｍｇの範囲内である、前記項目のいずれかに記載の化学保護方法。
（項目６）
前記化合物の投与経路が、経口、局所、皮内、経皮、および皮下からなる群から選択される、前記項目のいずれかに記載の化学保護方法。
（項目７）
前記皮膚における損傷が、乾癬、ケロイド形成、光線性角化症（ＡＫ）、基底細胞癌、および扁平細胞癌からなる群から選択される細胞増殖性障害を含む、前記項目のいずれかに記載の化学保護方法。
（項目８）
個体における皮膚におけるＵＶに媒介されるＤＮＡ損傷により引き起こされる、皮膚におけるバリア機能の喪失を処置、阻害、または防止するための局所方法であって、このような処置を必要とする前記個体の皮膚表面に、有効量のプテロスチルベン化合物を投与するステップを含む、局所方法。
（項目９）
前記個体が、ヒトである、項目８に記載の局所方法。
（項目１０）
前記プテロスチルベン化合物を、薬学的に許容される担体を含む組成物により提供する、項目８または９に記載の局所方法。
（項目１１）
総用量に対するプテロスチルベンの前記有効量が、前記組成物の総重量に基づき約０．１重量％〜約１０重量％の範囲内である、項目８から１０のいずれかに記載の局所方法。
（項目１２）
総１日用量に対するプテロスチルベンの前記有効量が、約１ｍｇ〜約１０００ｍｇの範囲内である、項目８から１１のいずれかに記載の局所方法。
（項目１３）
前記皮膚における損傷が、乾癬、ケロイド形成、光線性角化症（ＡＫ）、基底細胞癌、および扁平細胞癌からなる群から選択される細胞増殖性障害を含む、項目８から１２のいずれかに記載の局所方法。
（項目１４）
経表皮水分喪失量（ＴＥＷＬ）により示される皮膚におけるバリア機能の喪失を含む前記皮膚における損傷が軽減される、前記項目のいずれかに記載の方法。
【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
脳腫瘍を処置する方法に使用するための血管内皮増殖因子（ＶＥＧＦ）を含む医薬組成物であって：
（ｉ）前記ＶＥＧＦを含む医薬組成物を脳腫瘍を有している対象に全身投与し；そして
（ｉｉ）ＶＥＧＦを含む医薬組成物の投与の５時間後以内に、有効量の抗癌剤を対象に全身投与すること、
を含む医薬組成物。
【請求項２】
前記ＶＥＧＦの量が５〜２００ｎｇ／ｋｇである、請求項１に記載の医薬組成物。
【請求項３】
前記ＶＥＧＦの量が２５ｎｇ／ｋｇである、請求項２に記載の医薬組成物。
【請求項４】
前記抗癌剤が、ＶＥＧＦを含む医薬組成物の投与の１５〜１８０分後に投与される、請求項１〜３のいずれか１項に記載の医薬組成物。
【請求項５】
前記抗癌剤が、ＶＥＧＦを含む医薬組成物の投与の４５分〜３時間後に投与される、請求項４に記載の医薬組成物。
【請求項６】
前記抗癌剤が、アルキル化剤、トポイソメラーゼ阻害剤、代謝拮抗物質、細胞毒性抗生物質、または生物学的製剤である、請求項１〜５のいずれか１項に記載の医薬組成物。
【請求項７】
前記アルキル化剤が、シスプラチン、カルボプラチン、オキサリプラチン、メクロールエサミン、シクロホスファミド、メルファラン、クロラムブシル、イホスファミド、ブスルファン、Ｎ−ニトロソ−Ｎ−メチル尿素（ＭＮＵ）、カルムスチン、ロムスチン、セムスチン、フォテムスチン、ストレプトゾトシン、ダカルバジン、ミトゾロミド、テモゾロミド、チオテパ、マイトマイシン、およびジアジクオンから成る群から選択される、請求項６に記載の医薬組成物。
【請求項８】
前記トポイソメラーゼ阻害剤が、カンプトテシン、イリノテカン、トポテカン、エトポシド、ドキソルビシン、テニポシド、ノボビオシン、メルバロン、およびアクラルビシンから成る群から選択される、請求項６に記載の医薬組成物。
【請求項９】
前記代謝拮抗物質が、フルオロピミジン、デオキシヌクレオシド類似体、チオプリン、メトトレキサート、およびペメトレキセドから成る群から選択される、請求項６に記載の医薬組成物。
【請求項１０】
前記細胞毒性抗生物質が、アクチノマイシン、ブレオマイシン、プリカマイシン、マイトマイシン、ドキソルビシン、ダウノルビシン、エピルビシン、イダルビシン、ピラルビシン、アルカルビシン、およびミトキサントロンから成る群から選択される、請求項６に記載の医薬組成物。
【請求項１１】
前記生物学的製剤が、ベバシズマブ、セツキシマブ、ペムツモマブ、オレゴボマブ、ミンレツモバブ、エタラシズマブ、ボロシキシマブ、セツキシマブ、パニツムマブ、ニモツズマブ、トラスツズマブ、ペルツズマブ、ＡＶＥ１６４２、ＩＭＣ−Ａ１２、ＭＫ−０６４６、Ｒ１５０７、ＣＰ７５１８７１、マパツムマブ、ＫＢ００４またはＩＩＩＡ４から成る群から選択される、請求項６に記載の医薬組成物。
【請求項１２】
（ｉ）血管内皮増殖因子（ＶＥＧＦ）を含む第一の製剤が入った第一のコンテナ、および
（ｉｉ）抗癌剤を含む第二の製剤が入った第二のコンテナ、
を含むキット。
【請求項１３】
脳腫瘍を処置する方法に使用するためのキットであって、ＶＥＧＦを含む第一の製剤および抗癌剤を含む第二の製剤を含み、ここで、第一の製剤と第二の製剤の両方が、脳腫瘍を有している対象への全身投与のための製剤であり、かつ、ここで、第一の製剤が、第二の製剤投与の５時間前以内に投与されるキット。
【請求項１４】
前記第一の製剤のＶＥＧＦが、５〜２００ｎｇ／ｋｇの量で対象に投与される、請求項１３に記載の使用のためのキット。
【請求項１５】
対象の血液脳関門を横断する作用物質の送達を容易にする方法に使用するための血管内皮増殖因子（ＶＥＧＦ）を含む医薬組成物であって、作用物質投与の５時間前以内に、有効量のＶＥＧＦを含む医薬組成物を、それを必要としている対象に全身投与することを含み、ここで、有効量のＶＥＧＦが５〜２００ｎｇ／ｋｇであり、かつ、ここで、作用物質が治療薬または診断薬である医薬組成物。
【請求項１６】
前記ＶＥＧＦの有効量が２５ｎｇ／ｋｇである、請求項１５に記載の医薬組成物。
【請求項１７】
前記ＶＥＧＦを含む医薬組成物が、作用物質投与の１５分〜３時間前に投与される、請求項１５または１６に記載の医薬組成物。
【請求項１８】
前記ＶＥＧＦを含む医薬組成物が、作用物質投与の４５分〜３時間前に投与される、請求項１７に記載の医薬組成物。
【請求項１９】
前記対象が脳疾患を有しているか、有していることが疑われるか、または脳疾患の危険があるヒト患者である、請求項１５〜１８のいずれか１項に記載の医薬組成物。
【請求項２０】
前記脳疾患が、虚血性脳卒中、神経変性疾病、および神経精神疾患から成る群から選択される、請求項１９に記載の医薬組成物。
【請求項２１】
前記作用物質が治療薬である、請求項１９または２０に記載の医薬組成物。
【請求項２２】
前記作用物質が診断薬である、請求項１９または２０に記載の医薬組成物。
【請求項２３】
前記診断薬が造影剤である、請求項２２に記載の医薬組成物。
【請求項２４】
前記方法が、対象の脳領域内の診断薬の存在またはレベルを検出することをさらに含む、請求項２２または２３に記載の使用のためのＶＥＧＦ。
【請求項２５】
前記診断薬が、コンピューター断層撮影法（ＣＴ）または磁気共鳴映像法（ＭＲＩ）によって検出される、請求項２４に記載の医薬組成物。
【請求項２６】
脳疾患を処置するかまたは診断する方法に使用する治療薬または診断薬と同時に使用するための医薬組成物であって、前記医薬組成物はＶＥＧＦを含み、ここで、医薬組成物が、治療薬または診断薬投与の５時間前以内に、それを必要としている対象に投与され、かつ、ここで、対象に投与されるＶＥＧＦの量が５〜２００ｎｇ／ｋｇである医薬組成物。
【請求項２７】
脳疾患を治療するかまたは診断する方法に使用するためのキットであって、前記キットはＶＥＧＦを含む第一の製剤および治療薬または診断薬を含む第二の製剤を含み、ここで、第一の製剤と第二の製剤の両方が、脳疾患を有している対象への全身投与のための製剤であり、かつ、ここで、第一の製剤が、第二の製剤投与の５時間前以内に投与されるキット。